(57)【要約】      （修正有）【課題】エレベーターの点検および整備作業を行う作業者の作業開始および終了時刻を高精度に推定する。【解決手段】エレベーターの作業管理システム１は、作業者に携行される端末と、端末と通信可能なサーバを含む。端末は、気圧センサと、気圧センサによって測定された気圧値の時系列変化を登録する気圧センサ値登録部とを有する。サーバは、記憶部と、作業開始および終了時刻決定部とを有する。記憶部は、気圧センサ値登録部によって登録された気圧センサ値と予め計画されている作業スケジュールとを格納する。作業開始および終了時刻決定部は、記憶部に格納されている作業スケジュールの作業時間に含まれる気圧センサ値を記憶部から抽出し、気圧センサ値をもとに、作業者により、最も早い時間帯に行われたと推定される各階運転の実施時刻を作業開始時刻と決定し、最も遅い時間帯に行われたと推定される各階運転の実施時刻を作業終了時刻と決定する。【選択図】図２
2020138837.tif 000002
【特許請求の範囲】
【請求項１】
エレベーターにおいて作業を実施する作業者の行動履歴を推定するエレベーター作業管理システムであって、
前記エレベーター作業管理システムは、前記作業者に携行される端末と、前記端末と通信可能なサーバと、を含み、
前記端末は、
気圧センサと、
前記気圧センサによって測定された気圧値の時系列変化を示す気圧センサ値を登録する気圧センサ値登録部と、を有し、
前記サーバは、
前記気圧センサ値登録部によって登録された前記気圧センサ値と、予め計画されている前記エレベーターでの作業スケジュールと、を格納する記憶部と、
前記記憶部に格納されている前記エレベーターでの作業スケジュールで計画されている作業時間に含まれる前記気圧センサ値を前記記憶部から抽出し、抽出した前記気圧センサ値をもとに前記作業者の行動推定を行い、前記作業者により、最も早い時間帯に行われたと推定される前記エレベーターの各階運転の実施時刻を作業時刻時刻と決定し、最も遅い時間帯に行われたと推定される前記エレベーターの各階運転の実施時刻を作業終了時刻と決定する作業開始および終了時刻決定部と
を有することを特徴とするエレベーター作業管理システム。
【請求項２】
前記作業開始および終了時刻決定部は、
前記作業時刻時刻と前記作業終了時刻の間の前記気圧センサ値の推移が、前記エレベーターの各階運転が所定回数以上行われたことを示すか否かを判定し、前記エレベーターの各階運転が前記所定回数以上行われていないと判定した場合に、前記作業スケジュールに基づく作業が未実施と判定する
ことを特徴とする請求項１に記載のエレベーター作業管理システム。
【請求項３】
前記作業開始および終了時刻決定部は、
前記作業時刻時刻と前記作業終了時刻の間の前記気圧センサ値の推移と、前記エレベーターの運転実績情報とを比較し、
前記気圧センサ値の推移と該運転実績情報が示す前記エレベーターの各階移動とが整合する場合に前記作業スケジュールに基づく作業が実施済みと判定し、
前記気圧センサ値の推移と該運転実績情報が示す前記エレベーターの各階移動とが整合しない場合に前記作業スケジュールに基づく作業が未実施と判定する
ことを特徴とする請求項１または２に記載のエレベーター作業管理システム。
【請求項４】
前記作業スケジュールは、作業対象の前記エレベーターの号機情報を含み、
前記作業開始および終了時刻決定部は、
前記作業時刻時刻と前記作業終了時刻の間の前記気圧センサ値の推移と、前記エレベーターの号機を指定した運転実績情報とを比較し、
前記気圧センサ値の推移と該運転実績情報が示す前記エレベーターの各階移動とが整合する場合に前記作業スケジュールに基づく作業が実施済みと判定し、
前記気圧センサ値の推移と該運転実績情報が示す前記エレベーターの各階移動とが整合しない場合に前記作業スケジュールに基づく作業が未実施と判定する
ことを特徴とする請求項３に記載のエレベーター作業管理システム。
【発明の詳細な説明】
【技術分野】
【０００１】
本発明は、エレベーター作業管理システムに関する。
【背景技術】
【０００２】
従来、エレベーターが敷設される建物内において、エレベーターの点検および整備作業を実施する作業者の行動履歴を追跡しようとする場合、作業者が所持するスマートデバイス（スマートフォン、スマートウォッチ、またはウェアラブルデバイス等）に搭載されるＧＰＳ（Global  Positioning  System）を使用し、作業者の行動追跡推定する技術が知られている。
【０００３】
例えば特許文献１には、作業者の行動履歴をＧＰＳで推定し、作業者の現在位置と作業予定現場の位置情報を元に、その現場に入館したことを推定し、携帯端末への入館登録を促す作業管理システムが開示されている。
【先行技術文献】
【特許文献】
【０００４】
【特許文献１】特開２０１４−５１３７６号公報
【発明の概要】
【発明が解決しようとする課題】
【０００５】
特許文献１に開示された作業管理システムは、作業者の行動を追跡するため、ＧＰＳを使用するが、ＧＰＳで追跡しようとする場合、作業者の位置を特定できたとしても、ＧＰＳの精度誤差のために、作業者の細かな行動を追跡することまでは困難であった。そのため、作業者が作業先の現場近くで休憩中でも入館したように推定されてしまい、作業者が実際に作業を開始および終了した時刻の差から算出される実働時間を把握することができない。
【０００６】
実働時間は、作業者の賃金の支払いに使用されたり、作業の実態を管理者が把握したりする上で重要な情報であり、誤りが生じると、管理者による作業者の管理に支障が生じる。従来技術では、これらの課題に対して十分な解決方法が考慮されておらず、ＧＰＳを利用したときに、作業者の行動を精度良く推定することは容易ではなかった。
【０００７】
本発明は以上の点を考慮してなされたものであって、エレベーターの点検および整備作業を行う作業者の作業開始および終了時刻を高精度に推定することが可能な作業管理システムおよび作業管理方法を提案しようとするものである。
【課題を解決するための手段】
【０００８】
かかる課題を解決するため本発明においては、エレベーターにおいて作業を実施する作業者の行動履歴を推定するエレベーター作業管理システムは、前記エレベーター作業管理システムは、前記作業者に携行される端末と、前記端末と通信可能なサーバと、を含み、前記端末は、気圧センサと、前記気圧センサによって測定された気圧値の時系列変化を示す気圧センサ値を登録する気圧センサ値登録部と、を有し、前記サーバは、前記気圧センサ値登録部によって登録された前記気圧センサ値と、予め計画されている前記エレベーターでの作業スケジュールと、を格納する記憶部と、前記記憶部に格納されている前記エレベーターでの作業スケジュールで計画されている作業時間に含まれる前記気圧センサ値を前記記憶部から抽出し、抽出した前記気圧センサ値をもとに前記作業者の行動推定を行い、前記作業者により、最も早い時間帯に行われたと推定される前記エレベーターの各階運転の実施時刻を作業時刻時刻と決定し、最も遅い時間帯に行われたと推定される前記エレベーターの各階運転の実施時刻を作業終了時刻と決定する作業開始および終了時刻決定部とを有することを特徴とする。
【発明の効果】
【０００９】
本発明によれば、例えば、エレベーターの点検および整備作業を行う作業者の作業開始および終了時刻を高精度で推定することができる。
【図面の簡単な説明】
【００１０】
【図１】本発明の一実施の形態における点検および整備作業の対象のエレベーター装置の全体構成例を示す概略構成図である。
【図２】本発明の一実施の形態に係る作業管理システムの構成例を示すブロック図である。
【図３】本発明の一実施の形態における点検および整備作業の作業手順の一例を示すフローチャートである。
【図４】本発明の一実施の形態における点検および整備作業が実施されたときの相対気圧値の時系列変化の一例を示すグラフである。
【図５】本発明の一実施の形態における作業開始および終了時刻の決定処理の処理手順例を示すフローチャートである。
【発明を実施するための形態】
【００１１】
以下、図面に基づき、本発明の実施の形態を詳述する。本明細書において、各図面の同一参照番号は、同一あるいは類似の構成または処理を示し、後出の説明では前出の説明との差分のみを説明し、後出の説明が省略される場合がある。また、各実施の形態および各変形例は、本発明の技術思想の範囲内かつ整合する範囲内で一部または全部を組合せることができる。
【００１２】
＜実施の形態における対象のエレベーター装置の構成＞
本発明の一実施の形態に係るエレベーターの作業管理システムについての説明に先立ち、本発明の一実施の形態において点検および整備作業の対象となるエレベーター装置について説明する。図１は、本発明の一実施の形態における点検および整備作業の対象のエレベーター装置の全体構成例を示す概略構成図である。
【００１３】
本実施の形態では、Ｆ階の階床を有する建物内において１機のエレベーターの乗りかご３を有するエレベーター装置４０が設置されている例を説明する。なお、本実施の形態においては、エレベーターの乗りかごの昇降駆動機構については、図示および説明を省略している。
【００１４】
エレベーター装置４０は、エレベーター制御装置２と、エレベーターの乗りかご３と、乗場操作盤６とを有する。乗りかご３は、昇降によって複数の階床の乗場間を移動する。乗りかご３には、かご制御装置３１が備えられる。なお、本実施の形態では、エレベーター装置４０は、１機のエレベーターの乗りかご３を有するとして説明するが、これに限らず、エレベーター装置４０は、複数号機のエレベーターの乗りかご３を有してもよい。
【００１５】
エレベーター制御装置２は、エレベーターの機械室または昇降路内に設けられ、乗りかご３の運転の制御および管理を行う。エレベーター制御装置２は、乗りかご３のかご制御装置３１と電気的に接続されている。乗りかご３のかご制御装置３１は、乗りかご３内で登録された行先階の情報等を、エレベーター制御装置２に出力する。
【００１６】
エレベーター装置４０は、図示しない電源装置と、電源装置からの電源供給状態を監視するとともにバックアップ電源を有する補助電源装置とを備えている。電源装置と補助電源装置は、エレベーターの機械室または昇降路内に設けられている。補助電源装置は、停電が発生して電源装置からの電源が遮断されると、電源装置からの電源からバックアップ電源へ自動的に切り換えることにより停電が発生してから電源装置からの電源が復旧するまでの期間に亘ってバックアップ電源をエレベーター制御装置２と乗りかご３とにそれぞれ供給する。
【００１７】
また、建物の各階床のエレベーター乗場４には、エレベーターの左右一対の開閉扉５と、利用者がエレベーターを利用する際の行先階が階上である階下であるかの情報を含む利用予約情報の登録を行うことができる乗場操作盤６とがそれぞれ設けられている。各階床のエレベーター乗場４に設けられる乗場操作盤６の構成は、概ね同一である。乗場操作盤６は、エレベーター制御装置２と電気的に接続されている。エレベーター制御装置２は、利用者が乗場操作盤６を操作して利用予約情報の登録を行うと、利用予約情報が乗場操作盤６からエレベーター制御装置２に入力される。
【００１８】
エレベーター制御装置２には、乗場操作盤６からの利用予約情報と、かご内操作盤（不図示）から登録された利用者の行先階の情報と、乗りかご３の位置、乗りかご３の移動方向、および乗りかご３の左右一対の開閉扉５等のスライド開閉動作を含む運転情報とがそれぞれ入力される。そして、エレベーター制御装置２は、利用予約情報と運転情報とに基づいて、エレベーターの運転を管理するとともに、利用予約情報を出力した乗場操作盤６が設けられている階床に乗りかご３を到達させるように運転を制御する。
【００１９】
＜実施の形態に係る作業管理システムの構成＞
以下、本発明の一実施の形態に係る作業管理システムについて説明する。図２は、本発明の一実施の形態に係る作業管理システムの構成例を示すブロック図である。図１に示したように、本実施の形態に係る作業管理システム１は、スマートデバイス１０とセンタ装置２０とを備えて構成される。センタ装置２０は、データセンタに設置されるサーバ・コンピュータである。スマートデバイス１０とセンタ装置２０は、広域網もしくは閉域網であるネットワーク３０を介して通信可能に接続される。
【００２０】
＜実施の形態に係るスマートデバイスの構成＞
次に、スマートデバイス１０の機能構成を説明する。スマートデバイス１０は、エレベーター装置４０の点検および整備作業（以下、単に作業とも称する）に従事する作業者が、作業中に常に携帯（携行）している情報端末であって、例えばスマートフォンやタブレット端末等のスレート端末、スマートウォッチ、またはウェアラブルデバイス等である。
【００２１】
図２に示したように、スマートデバイス１０は、送受信部１１、気圧センサ１２、気圧センサ値登録部１３、表示部１４、および記憶部１５を備えて構成される。
【００２２】
送受信部１１は、通信インタフェースであり、ネットワーク３０を介してセンタ装置２０とデータの送受信を行う。また、気圧センサ１２は、大気圧を検知するセンサである。
【００２３】
気圧センサ値登録部１３は、気圧センサ１２が測定した気圧センサ値を登録する。具体的には、気圧センサ値登録部１３は、気圧センサ１２が測定した気圧センサ値を連続的に記憶部１５に記録する（気圧センサ値１５１）とともに、作業者の作業完了後に、記憶部１５に記録された気圧センサ値１５１をセンタ装置２０に送信して、センタ装置２０の記憶部２４に格納する（気圧センサ値２４３）。
【００２４】
なお、本実施の形態では、作業者の作業完了後に、気圧センサ値１５１を一括してセンタ装置２０に送信するものとするが、これに限られず、逐一送信してもよい。この時、センタ装置２０に送信される気圧センサ値１５１には、スマートデバイス１０に搭載された時計（不図示）の時刻情報が付与されている。なお、時計の時刻は、例えば携帯電話会社の通信機器との通信によって定期的に補正されることが好ましく、このような補正が行われることによって、誤差範囲を所定量（例えば１秒未満）に抑制することができる。
【００２５】
表示部１４は、例えば液晶ディスプレイであり、表示機能の他、スマートフォンのように数字や文字情報をタッチ操作で入力可能なキーボード機能（入力機能）も備えている。作業者は、表示部１４を操作することによって、センタ装置２０の記憶部２４に格納されている作業スケジュール２４１を確認することができ、作業スケジュール２４１を確認することで作業先の情報や作業内容を認識することができる。
【００２６】
記憶部１５は、データを記録するメモリである。具体的には例えば、気圧センサ値登録部１３が登録する気圧センサ値１５１を格納する。
【００２７】
なお、図２に示したスマートデバイス１０の各機能構成を実現するハードウェアについて補足すると、気圧センサ値登録部１３は、例えばスマートデバイス１０に搭載されているＣＰＵ（Central  Processing  Unit）がＲＯＭ（Read  Only  Memory）に格納されている所定のプログラムをＲＡＭ（Random  Access  Memory）に読み出して実行することによって実現できる。また上記ＣＰＵは、表示部１４における表示機能や入力機能も制御するようにしてもよい。
【００２８】
＜実施の形態に係るセンタ装置の構成＞
次に、センタ装置２０の機能構成を説明する。センタ装置２０は、複数箇所のエレベーター装置４０を統合的に管理する管理装置であって、例えばサーバやデータベース等によって実現される。センタ装置２０は、概して作業者が整備作業を実施する場所から遠隔の地、例えば作業者の所属会社の建物等に設置される。図２に示したように、センタ装置２０は、送受信部２１、作業スケジュール計画部２２、作業開始および終了時刻決定部２３、および記憶部２４を備えて構成される。
【００２９】
送受信部２１は、通信インタフェースであり、広域網もしくは閉域網であるネットワーク３０を介してスマートデバイス１０とデータの送受信を行う。
【００３０】
作業スケジュール計画部２２は、作業者が複数の作業先を巡回するなかで、どの作業先にいつ訪問するかといった作業スケジュールの計画を受け付け、登録する。具体的には例えば、作業者が作業依頼者（建物の所有者や管理者）と作業日時の調整を行い、センタ装置２０の入力部（不図示）に対して所定の入力操作を行うことによって、作業スケジュール計画部２２は、入力された作業先（作業先のエレベーター装置４０の号機情報を含んでもよい）や作業日時で作業スケジュールを登録する。登録する作業スケジュールは記憶部２４に格納され（作業スケジュール２４１）、スマートデバイス１０からも参照可能となる。
【００３１】
作業開始および終了時刻決定部２３は、スマートデバイス１０から受信して記憶部２４に格納される時系列の相対気圧値（気圧センサ値２４３）に基づいて、エレベーター装置４０の点検および整備作業の作業開始時刻と作業終了時刻を決定する機能と、点検および整備作業が実施されたか否かを判定する機能を有する。
【００３２】
詳細は図５を参照しながら後述するが、作業開始および終了時刻決定部２３は、エレベーター装置４０の点検および整備作業が終了した後に「作業開始および終了時刻決定処理」を実行することにより、記憶部２４に格納された気圧センサ値２４３から作業者の行動推定を行い、作業開始時刻と作業終了時刻を決定することができる。また、作業開始時刻と作業終了時刻を決定できない場合は、点検および整備作業が実施されなかったものと判定することができる。
【００３３】
記憶部２４は、データを記録するメモリである。具体的には図２に示したように、記憶部２４には、作業スケジュール２４１、作業開始および終了時刻２４２、気圧センサ値２４３、運転状態データ２４４、作業実績２４５、および階床情報２４６が格納される。
【００３４】
このうち、作業スケジュール２４１は、作業スケジュール計画部２２によって登録されるデータである。作業スケジュール２４１は、作業対象のエレベーター装置４０の識別情報や、作業内容、作業時刻等を含む。作業スケジュール２４１は、エレベーター装置４０の号機情報を含んでもよい。
【００３５】
作業開始および終了時刻２４２は、図５で後述する作業開始および終了時刻決定部２３によって登録されるデータである。気圧センサ値２４３および作業実績２４５は、スマートデバイス１０から登録および送信されるデータである。
【００３６】
運転状態データ２４４は、エレベーター装置４０の乗りかご３や開閉扉５等を含む各種装置の運転状況を捕捉し、時系列で保存した運転実績情報である。運転状態データ２４４は、エレベーター装置４０の図示しない監視装置等からセンタ装置２０に遠隔収集され、記憶部２４に逐一または一括して格納される。
【００３７】
また、階床情報２４６は、予め記憶部２４に格納されるデータであって、作業先の建物の階床数等を示すデータであり、予め設定される。本実施の形態では、階床情報２４６は、図４で後述する相対気圧基準値を算出するための算出式に代入されて用いられる。
【００３８】
なお、図２に示したセンタ装置２０の各機能構成を実現するハードウェアについて補足すると、作業スケジュール計画部２２と、作業開始および終了時刻決定部２３は、例えばセンタ装置２０に搭載されているＣＰＵがＲＯＭに格納されている所定のプログラムをＲＡＭに読み出して実行することによって実現できる。
【００３９】
そして、ネットワーク３０は、インターネットやＬＴＥ（Long  Term  Evolution（登録商標））や５Ｇ（第５世代移動通信システム）等の移動体高速無線通信システムや、ＷＡＮ（Wide  Area  Network）等に代表される広域通信回線網等であり、スマートデバイス１０とセンタ装置２０との間で各種データをやり取りする通信手段である。
【００４０】
＜エレベーターの点検および整備作業と相対気圧値の変化＞
本実施の形態に係る作業管理システム１では、作業者が携帯しているスマートデバイス１０の電源が入っている間（スマートデバイス１０で所定のアプリケーションが動作している間でもよい）、気圧センサ１２が気圧を測定している。そして、作業者によってエレベーター装置４０の整備作業が実施される際は、作業者が対象の建物に入館してから整備作業を実施して退館するまでの間、気圧センサ値登録部１３は、気圧センサ１２によって測定された気圧センサ値を連続的に補足し、基準点（例えば入館時の１階）における気圧センサ値を基準値「０」として、相対的な気圧値（以後、相対気圧値と称する）の変化を記憶部１５に記録する。
【００４１】
＜実施の形態の点検および整備作業の作業手順＞
図３は、本発明の一実施の形態における点検および整備作業の作業手順の一例を示すフローチャートである。図３には、本実施の形態で対象とされるエレベーター装置４０の点検および整備作業の一例として、作業内容が点検作業Ａの作業手順が示されている。
【００４２】
図３によれば、まず、作業者が作業スケジュールを確認する（ステップＳ１）。具体的には例えば、作業者は、スマートデバイス１０の表示部１４を操作することにより、センタ装置２０の記憶部２４に格納された作業スケジュール２４１を参照して、当日の作業スケジュールを確認し、作業内容や作業の開始および終了時刻、作業先の建物の住所等を把握する。
【００４３】
次に、作業の開始時刻になり次第、作業者は、エレベーター装置４０が敷設された作業先の建物に入館し、点検および整備作業を開始する（ステップＳ２）。次に、作業者は、エレベーター装置４０の点検および整備作業を行うために、各階の乗場に点検札（不図示）を貼り付ける（ステップＳ３）。点検札とは、エレベーター装置４０の利用者へ利用できないことを知らしめるために掲示するシール等の掲示物である。一般的に利用者の目につきやすい、エレベーター装置４０の乗かご３が停止する各階の乗場に掲示する。この作業は、利用者への配慮のため、点検および整備作業の種類を問わず、作業開始前に必ず行う必要がある。
【００４４】
次に、作業者は、ステップＳ４において、エレベーター装置４０の乗かご４２の各階運転を往復して行い、各階での着床時の床段差やストップショック（停止時の衝撃）を確認する（着床レベル確認）。このとき、作業者は乗かご３を運転しながら、各階に停止させて往復運転を行う。なお、この点検は、ステップＳ３の点検札を貼り付ける作業と並行して行われる。
【００４５】
次に、作業者は、ステップＳ５において、点検および整備作業Ａを実施する。本実施の形態での点検および整備作業Ａは、建物の屋上に位置する機械室内の作業を行った後、各階のドア廻り点検作業を実施し、その後、昇降路床面（ピット）の清掃点検作業を実施した後、機械室に戻るものとする。
【００４６】
次に、作業者は、ステップＳ６において、エレベーター装置４０の点検および整備作業の終了するために、ステップＳ３で掲示した各階の点検札を取り外す。この作業は、利用者への配慮のため、作業終了後に必ず行う必要がある。その後、作業者はステップＳ７において、建物を退館する。
【００４７】
なお、作業者は、点検および整備作業の作業中や作業後にスマートデバイス１０の表示部１４を操作して、センタ装置２０の記憶部２４の作業スケジュール２４１に対する作業実績を入力する。当該入力が行われると、センタ装置２０の記憶部２４に仮完了のステータスで作業実績２４５を格納する。作業実績２４５には、関連付け可能な複数のステータスが用意されており、本実施の形態では、「未実施」、「仮完了」、および「実施済」のステータスが用意されているとする。
【００４８】
上述のように、本実施の形態に係る作業管理システム１では、上記の整備作業の間、作業者が携帯しているスマートデバイス１０においてセンサ気圧値が測定され、基準点（例えば入館時の１階）における気圧センサ値を基準値「０」とした相対気圧値の時系列変化が記憶部１５に記録される。そして、記憶部１５に記録された相対気圧値の時系列データはセンタ装置２０に送信され、記憶部２４において気圧センサ値２４３として格納される。
【００４９】
ここで、気圧値は、地表に対する垂直方向で変動する変動情報であることから、一連の点検および整備作業における相対気圧値の時系列変化は、整備作業における作業者の垂直方向の移動と相関する。従って、センタ装置２０において、作業開始および終了時刻決定部２３は、記憶部２４に格納されている作業先の階床情報２４６を用いて、各階床の相対気圧値の基準値（相対気圧基準値）を算出することができ、算出した相対気圧基準値と記憶部２４に格納された時系列の相対気圧値（気圧センサ値２４３）とを比較することにより、点検および整備作業において作業者がどの時刻に、どの階にいたかという作業者の行動履歴を高精度に追跡および把握することができる。
【００５０】
＜実施の形態における点検および整備作業の実施時の相対気圧値の時系列変化＞
図４は、本発明の一実施の形態における点検および整備作業が実施されたときの相対気圧値の時系列変化の一例を示すグラフである。図４の左側には各階にエレベーター装置４０が停止可能なＦ階建ての建物が示されており、建物の「Ｆ＋１」階に相当する最上部には機械室５０が、建物の「−１」階に相当する最下部には昇降路床面（ピット）が表されている。
【００５１】
また、図４に示した相対気圧値の時系列変化のグラフは、縦軸に相対気圧値、横軸に時間経過が表されている。相対気圧値は、基準階（本例では１階）における大気圧を基準気圧値「０」とする。本例では建物の階床間の高さが同一であるとし、１階床分の気圧変化値をＰとする。このようにしたとき、各階の相対気圧基準値は、１階が「０」、２階が「−Ｐ」、３階が「−２Ｐ」、・・・、Ｆ階が「−（Ｆ−１）×Ｐ」と定義することができ、同様に、機械室（Ｆ＋１階）の相対気圧基準値は「−Ｆ×Ｐ」、昇降路床面（−１階）の相対気圧基準値は「Ｐ］と定義できる。また、横軸の時間経過には、図３に示した一連の整備作業の各工程（図３のステップＳ３〜Ｓ６）が含まれており、各工程に対応する相対気圧値の変化（気圧センサ１２による測定値に基づく相対気圧値を時系列でプロットした線グラフ）に、気圧変化Ｈ１〜Ｈ４の符号を付している。
【００５２】
以下に、図４の各気圧変化Ｈ１〜Ｈ４について、図３に示した整備作業の各工程の進行と対照しながら詳しく説明する。
【００５３】
まず、入館登録が行われたとき（図３のステップＳ３）、気圧センサ値登録部１３は、気圧センサ１２が測定した気圧センサ値を基準値「０」として設定し、以後、気圧センサ値登録部１３は、気圧センサ１２が測定した気圧センサ値を上記基準値に対する相対値（相対気圧値）に変換して扱う。一般に気圧センサ１２は、測定誤差が少なからず発生する可能性があるが、気圧センサ値登録部１３が、入館登録時に基準値を設定して以後は相対期待値で扱うことにより、それまでの測定誤差をリセットし、一連の点検および整備作業が実施される間の測定誤差を抑制することができる。
【００５４】
点検および整備作業が開始すると、各階運転で点検札を貼り付ける作業が行われる（図３のステップＳ３）。このとき作業者は、乗かご３を運転しながら、各階に停止させて点検札を貼り付けるため、その気圧変化Ｈ１は、図４に示すように、階段状に各階を移動する形状のグラフで表される。
【００５５】
次に、乗かご３の着床レベル確認が行われる（図３のステップＳ４）。このとき、作業者は、乗かご３を運転しながら、各階での着床時の床段差やストップショック（停止時の衝撃）を確認する。この作業も、各階に停止させて実施するため、その気圧変化Ｈ２は、図４に示すように、階段状に各階を移動する形状のグラフで表される。
【００５６】
次に、点検および整備作業Ａが実施される（図３のステップＳ５）。このとき、作業者は、建物の屋上に位置する機械室５０内で作業を行った後、各階のドア廻り点検作業を実施し、その後、昇降路床面（ピット）の清掃点検作業を実施した後、機械室５０に戻る。その気圧変化Ｈ３は、１階から機械室（Ｆ＋１階相当）まで移動した後、昇降路床面（−１階相当）まで移動し、その後、再度１階から機械室（Ｆ＋１階相当）まで移動する形状のグラフで表される。
【００５７】
なお、作業者は、最上階（Ｆ階）と機械室（Ｆ＋１階）間の移動で階段を利用するため、階段室までの移動のため、気圧変化Ｈ３は、最上階（Ｆ階）に一時的に滞留するような形状のグラフとなる。また同様に、１階と昇降路床面（−１階相当）間の移動においても、簡易梯子等を利用するため、気圧変化Ｈ３は、梯子の準備のため１階に一時的に滞留するような形状のグラフとなる。
【００５８】
次に、点検整備作業が完了すると、各階運転で点検札を取り外す作業が行われる（図３のステップＳ６）。このとき作業者は、乗かご３を運転しながら、各階に停止させて点検札を取り外すため、その気圧変化Ｈ４は、階段状に各階を移動する形状のグラフで表される。点検および整備作業の全工程が終了すると、作業者は、１階から退館するため、最後の相対気圧値は「０」となる。
【００５９】
図２、図３を参照しながら詳述したように、作業開始および終了時刻決定部２３は、建物の各階床の相対気圧基準値と整備作業において測定された時系列の相対気圧値（気圧センサ値２４３）とを比較することにより、整備作業において作業者がどの時刻にどの階にいたかという作業者の垂直方向の移動履歴（行動履歴）を識別することができる。さらに、作業開始および終了時刻決定部２３は、以下の作業開始および終了時刻決定処理を実行することにより、作業者の作業開始および終了時刻を決定し、点検および整備作業が実施されたか否かを判定する。図４に示す例では、「１０：００」が作業開始時刻と推定され、「１１：００」が作業終了時刻と推定され、「１０：００」〜「１１：００」の間が点検および整備作業の巡回スケジュールである。
【００６０】
＜実施の形態における作業開始および終了時刻の決定処理＞
図５は、本発明の一実施の形態における作業開始および終了時刻の決定処理の処理手順例を示すフローチャートである。図５に示す作業開始および終了時刻決定処理は、当該点検および整備作業に関する気圧センサ値２４３および作業実績２４５が記憶部２４に揃った任意のタイミング、例えば、作業者が対象の点検および整備作業を終えて作業実績登録が完了した後に、主に作業開始および終了時刻決定部２３によって実行される。
【００６１】
先ず、ステップＳ１１では、作業開始および終了時刻決定部２３は、記憶部２４から、作業スケジュール２４１で計画されている時間内の気圧センサ値２４３を抽出する（ステップＳ１１）。ここで、計画の時間より点検および整備作業が早く開始されたり、計画の時間を過ぎても作業が終了せず継続したりすることが想定される場合は、気圧センサ値２４３を抽出する時間を拡大してもよい。また、気圧センサ値２４３の抽出は、作業者の位置情報をＧＰＳで推定し、当該建物付近にいる時間帯で抽出してもよい。
【００６２】
次に、ステップＳ１２では、作業開始および終了時刻決定部２３は、ステップＳ１１で抽出した気圧センサ値２４３を参照し、「２回」以上、各階への移動を行ったか否かを判定する。より具体的には、作業開始および終了時刻決定部２３は、ステップＳ１１で抽出した気圧センサ値２４３において、乗りかご３が各階を滞留しながら移動する値（０、−Ｐ、−２Ｐ、・・・、−（Ｆ−１）×Ｐ）のそれぞれが各規定時間内（例えば滞留時間３０秒×停止階床（５階床の場合１５０秒以内））に記録されているか否かとともに、このようなパターンの記録が２回以上記録されているかを判定する。この際、上昇および下降の運転方向や停止階の順序は、適宜定められるとする。また、上記規定時間は、エレベーター装置４０の速度や階床高さ、ドアスピード等から、単階床で点検札を貼り付ける作業に費やす時間を勘案して、任意に決定する。図４に示す例では、ステップＳ１２において、４つの気圧変化Ｈ１〜Ｈ４が抽出されるため、「２回」以上、各階への移動を行ったと判定される。
【００６３】
ステップＳ１２において、２回以上、各階への移動を行ったと判定された場合（ステップＳ１２のＹＥＳ）、作業開始および終了時刻決定部２３は、ステップＳ１３に処理を進める。一方、ステップＳ１２において、２回以上、各階への移動が行われなかったと判定された場合（ステップＳ１２のＮＯ）、作業開始および終了時刻決定部２３は、点検および整備作業が正しく行われなかったことが推定できるため、ステップＳ１８に処理を進める。ステップＳ１８は、点検および整備作業が正しく行われなかったと判定されたときに行われる処理であり、詳細は後述する。
【００６４】
なお、ステップＳ１２において、作業開始および終了時刻決定部２３が、作業者が各階への移動を行ったか否かを判定する「２回」という判定回数は一例に過ぎない。この判定回数は、点検および整備作業の作業種類等に応じて、エレベーターの点検作業を実施したと判断することができる回数であれば、他の値を採用してもよい。
【００６５】
ステップＳ１３では、作業開始および終了時刻決定部２３は、ステップＳ１１で抽出した気圧センサ値２４３を参照し、最も早い時刻で行われた各階移動を作業開始時刻と仮決定し、記憶部２４の作業開始および終了時刻２４２に格納する。
【００６６】
次に、ステップＳ１４では、作業開始および終了時刻決定部２３は、作業開始および終了時刻決定部２３は、ステップＳ１１で抽出した気圧センサ値２４３を参照し、最も遅い時刻で行われた各階移動を作業終了時刻と仮決定し、作業開始および終了時刻２４２に格納する。
【００６７】
次に、ステップＳ１５では、作業開始および終了時刻決定部２３は、記憶部２４に格納される、作業スケジュールで計画されるエレベーター装置４０の点検時間内の運転状態データ２４４を抽出する。この際、エレベーター装置４０が複数の号機を含む場合、号機ごとに作業スケジュールが指定され、時間内の点検が計画されていた号機を指定して運転状態データ２４４が抽出される。
【００６８】
次にステップＳ１６では、作業開始および終了時刻決定部２３は、上記で仮決定した作業開始時刻と作業終了時刻の気圧センサ値２４３の推移を示す波形と、記憶部２４に格納される運転状態データ２４４を比較し、気圧センサ値２４３の波形と運転状態データ２４４が整合するか否かを判定する。具体的には、例えば、作業開始および終了時刻決定部２３は、気圧センサ値２４３が、０、−Ｐ、−２Ｐ、・・・、−（Ｆ−１）×Ｐのように変化した場合、同時刻で運転状態データ２４４が１階、２階、３階、・・・最上階（Ｆ階）のように、乗かごが、気圧センサ値２４３の変化と同様に各階移動して運転されたか否かを判定する。
【００６９】
ステップＳ１６の判定において、気圧センサ値２４３と同様に乗かご３が運転したと判定された場合（ステップＳ１６のＹＥＳ）、作業開始および終了時刻決定部２３は、ステップＳ１７に処理を移す。ステップＳ１７では、作業開始および終了時刻決定部２３は、ステップＳ１３で仮決定した作業開始時刻と、ステップＳ１４で仮決定した作業終了時刻とを本決定し、作業開始および終了時刻２４２のステータスを「本決定」に変更する。
【００７０】
なお、ステップＳ１６の判定において、号機を指定したエレベーター装置４０の作業スケジュールに基づき仮決定した作業開始時刻と作業終了時刻の気圧センサ値２４３の波形と、ステップＳ１５で号機を指定して抽出されたエレベーター装置４０の運転状態データ２４４が比較されてもよい。この際、気圧センサ値２４３の波形と、号機を指定して抽出されたエレベーター装置４０の運転状態データ２４４が整合する場合に、予定の号機で点検および整備作業が正しく行われたと判定される。その一方、ステップＳ１６の判定において、気圧センサ値２４３の波形と、エレベーター装置４０の号機を指定して抽出された運転状態データ２４４が整合しない場合に、予定の号機で点検および整備作業が正しく行われていないと判定される。これにより、エレベーター装置４０が複数の号機を含む場合に、点検および整備作業の対象となる号機の乗りかご３での作業漏れを検知することができる。
【００７１】
ステップＳ１７は、上記のステップＳ１２とステップＳ１６で肯定結果が得られて、点検および整備作業の点検札貼り付け、取外し作業が正しく行われたと判定されたときに実行される。このとき、作業開始および終了時刻決定部２３（または作業スケジュール計画部２２）は、作業実績２４５に登録された作業実績２４５のステータスを「仮完了」から「実施済」に登録し直す。また、作業開始および終了時刻決定部２３（または作業スケジュール計画部２２）は、一連の整備作業が正常に実施されたことを、スケジュール計画の登録を行う画面や電子メール等を用いて管理者に報告するようにしてもよい。
【００７２】
一方、ステップＳ１６の判定において、気圧センサ値２４３と同様に乗かごが運転していないと判定された場合（ステップＳ１６のＮＯ）、作業開始および終了時刻決定部２３は、ステップＳ１８に処理を移す。
【００７３】
一方、ステップＳ１８は、作業開始および終了時刻決定部２３（または作業スケジュール計画部２２）は、作業実績２４５に登録された作業実績２４５のステータスを「仮完了」から「未実施」に登録し直す。
【００７４】
ステップＳ１８は、上記のステップＳ１２とステップＳ１６のいずれかで否定結果が得られて、点検および整備作業の作業開始もしくは作業終了のいずれか、あるいは両方が正しく行われなかったと判定されたときに実行される。このとき、作業スケジュール計画部２２が、スケジュール計画の登録を行う画面や電子メール等を用いて作業者にアラートを行い、作業の再計画が必要である旨を警告する。また、作業開始および終了時間決定部２３（または作業スケジュール計画部２２）は、作業実績２４５に登録された作業実績２４５のステータスを「仮完了」から「未実施」に登録し直す。
【００７５】
なお、ステップＳ１８における警告では、ステップＳ１２とステップＳ１６の少なくともいずれかの判定結果に基づいて、一連の整備作業のうちのどの工程において異常と判定したかを出力するようにしてもよい。例えば、ステップＳ１２の否定結果によれば、点検および整備作業において作業者が作業開始と作業終了の際に必ず実施する点検札貼り付けまたは取外し作業のいずれかを行っていないと推定される。また、ステップＳ１６の否定結果では、気圧センサ値２４３の時系列推移と乗かご３の運転状態データ２４４の時系列推移の間で不一致と判定される工程において、作業者の作業に問題があったと推定される。このようにすることで、管理者は、作業者の行動履歴のどこに問題があったかを詳細に把握することができ、作業実施のエビデンスや教育活動等に活用することができる。
【００７６】
ステップＳ１７またはステップＳ１８が終了すると、作業開始および終了時刻決定部２３は、作業開始および終了時刻の決定処理を終了する。ステップＳ１７またはステップＳ１８の処理を経て、表示部１４によって登録された作業実績２４５のステータス「仮完了」は、作業が正常に実施済みであることを示す「実施済」か、作業が正常に実施されず再計画または再実施が必要であることを示す「未実施」に更新され、作業実績２４５の最終的なステータスが確定する。
【００７７】
以上、本実施の形態に係る作業管理システム１によれば、図３および図４を参照しながら詳述したように、相対気圧値（気圧センサ値１５１、２４３）の時系列変化に基づいて、エレベーター装置４０の点検および整備作業（より詳しくは、作業開始および作業終了時刻）における作業者の行動履歴を高精度に追跡および把握することができる。さらに、図５に示した作業開始および終了時刻決定処理が実行されることにより、当該点検および整備作業において作業者が作業開始と作業終了の際に必ず実施する点検札貼り付け、取外し作業について、相対気圧値の時系列変化に基づいて、正常に実施されたか否かを高精度で判断することができる。かくして、本実施の形態に係る作業管理システム１によれば、点検および整備作業の実働時間を正確に把握することができる。また、管理者は、作業者の高精度な行動履歴から問題点を把握することができるため、作業実施のエビデンスや教育活動等に活用することができる。
【００７８】
なお、本実施の形態では、作業者１名の場合で説明したが、作業者が複数名の場合でも作業者全員分の気圧センサ値を対象として、同様の判定を行うことで、実現することができる。また、本実施の形態では、エレベーター装置４０における点検および整備作業を例に説明したが、本発明は、各階移動を含むエレベーターでの様々な作業に適用できる。
【００７９】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid  State  Drive）等の記録装置、または、ＩＣカード、ＳＤカード、ＤＶＤ等の記録媒体に置くことができる。
【００８０】
また、図面において、制御線や情報線は説明上必要と考えられるものを示しており、製品上必ずしも全ての制御線や情報線を示しているとは限らない。実施には殆ど全ての構成が相互に接続されていると考えてもよい。
【００８１】
本発明は上記した実施の形態に限定されるものではなく、様々な変形例を含む。例えば、上記した実施の形態は本発明を分かりやすく説明するために詳細に説明したものであり、必ずしも説明した全ての構成を備えるものに限定されるものではない。また、ある実施の形態の構成の一部を他の構成に置き換えることが可能であり、また、ある実施の形態の構成に他の構成を加えることも可能である。また、実施の形態の構成の一部について、他の構成の追加や、削除、置換、統合、もしくは分散をすることが可能である。また実施の形態で示した各構成や各処理は、処理効率あるいは実装効率に基づいて適宜分散または統合してもよい。
【符号の説明】
【００８２】
１：作業管理システム、１０：スマートデバイス、１２：気圧センサ、１３：気圧センサ値登録部、１４：表示部、１５：記憶部、２０：センタ装置、２２：作業スケジュール計画部、２３：作業開始および終了時刻決定部、２４：記憶部、３０：ネットワーク、３１：制御装置、４０：エレベーター装置
【図１】
2020138837.tif 000003
【図２】
2020138837.tif 000004
【図３】
2020138837.tif 000005
【図４】
2020138837.tif 000006
【図５】
2020138837.tif 000007